(57)【要約】【課題】光ファイバ増幅器の設置位置の自由度を向上させることができる光伝送システムを提供する。【解決手段】励起光源部６１より出力された第１励起光λｐ１および第２励起光λｐ２は、信号光用光ファイバ伝送路４１により伝送され、その伝送の際に第１励起光λｐ１がラマン増幅され、そのラマン増幅された第１励起光λｐ１が光ファイバ増幅器３１に供給される。励起光源部６２より出力された第１励起光λｐ１および第２励起光λｐ２は、励起光用光ファイバ伝送路７１により伝送され、その伝送の際に第１励起光λｐ１がラマン増幅され、そのラマン増幅された第１励起光λｐ１が光ファイバ増幅器３１に供給される。光送信器１０より送出された信号光λｓは、信号光用光ファイバ伝送路４１〜４４により伝送されるとともに、光ファイバ増幅器３１〜３３により光増幅され、光受信器２０により受信される。【選択図】　図１
2004087819.tif 000002
【特許請求の範囲】
【請求項１】
信号光を伝送する信号光用光ファイバ伝送路と、
前記信号光用光ファイバ伝送路の途中に設けられ、第１励起光が供給されることにより前記信号光を光増幅する希土類元素添加光ファイバ増幅器と、
前記第１励起光を前記希土類元素添加光ファイバ増幅器へ伝送するとともに、第２励起光を伝送することにより前記第１励起光をラマン増幅する励起光用光ファイバ伝送路と、
前記第１励起光および前記第２励起光を前記励起光用光ファイバ伝送路へ送出する励起光源部と
を備えることを特徴とする光伝送システム。
【請求項２】
前記励起光用光ファイバ伝送路の波長１．３９μｍ付近のＯＨ基に因る吸収ピークが０．３３ｄＢ／ｋｍ以下であり、前記励起光用光ファイバ伝送路が波長１．４８μｍ付近の前記第１励起光をラマン増幅することを特徴とする請求項１記載の光伝送システム。
【請求項３】
前記信号光用光ファイバ伝送路の少なくとも一部が前記励起光用光ファイバ伝送路と共通であることを特徴とする請求項１記載の光伝送システム。
【請求項４】
前記励起光用光ファイバ伝送路中に、ラマン増幅により生じる前記第１励起光の波長の周辺の光を除去する光フィルタを備えることを特徴とする請求項１記載の光伝送システム。
【発明の詳細な説明】
【０００１】
【発明の属する技術分野】
本発明は、信号光を伝送する光伝送システムに関するものである。
【０００２】
【従来の技術】
光伝送システムは、光ファイバ伝送路により信号光を伝送することで、大容量の情報を長距離に亘って送受信することができる。また、光ファイバ伝送路の途中に光ファイバ増幅器を設け、この光ファイバ増幅器により信号光を光増幅することで、伝送距離の更なる長距離化が図られている。光ファイバ増幅器は、希土類元素が光導波領域に添加された光ファイバを光増幅媒体として用いたものであり、その希土類元素を励起し得る波長の励起光が供給されることで、所定波長域の信号光を光増幅することができるものである。
【０００３】
例えば、大陸間の光伝送システムでは、海底に敷設された光ファイバ伝送路の途中に光ファイバ増幅器が設けられている。したがって、その光ファイバ増幅器に供給すべき励起光は、大陸に設けられた励起光源より出力され、励起光用光ファイバ伝送路により伝送されて光ファイバ増幅器に供給される。
【０００４】
【発明が解決しようとする課題】
しかしながら、励起光用光ファイバ伝送路により励起光が伝送される間に該励起光が損失を被ることから、長距離に亘って励起光を伝送することができず、それ故、大陸から光ファイバ増幅器の設置位置までの距離を長くすることが困難である。したがって、このような励起光供給方式では、光ファイバ増幅器の設置位置が制限されることから高品質の信号光伝送が困難であり、また、信号光伝送の長距離化に限界がある。
【０００５】
本発明は、上記問題点を解消する為になされたものであり、光ファイバ増幅器の設置位置の自由度を向上させることができる光伝送システムを提供することを目的とする。
【０００６】
【課題を解決するための手段】
本発明に係る光伝送システムは、（１）　信号光を伝送する信号光用光ファイバ伝送路と、（２）　信号光用光ファイバ伝送路の途中に設けられ、第１励起光が供給されることにより信号光を光増幅する希土類元素添加光ファイバ増幅器と、（３）　第１励起光を希土類元素添加光ファイバ増幅器へ伝送するとともに、第２励起光を伝送することにより第１励起光をラマン増幅する励起光用光ファイバ伝送路と、（４）　第１励起光および第２励起光を励起光用光ファイバ伝送路へ送出する励起光源部とを備えることを特徴とする。
【０００７】
本発明によれば、励起光源部より出力された第１励起光および第２励起光は、励起光用光ファイバ伝送路により伝送され、その際に第２励起光により第１励起光がラマン増幅されて、そのラマン増幅された第１励起光が希土類元素添加光ファイバ増幅器に供給される。信号光用光ファイバ伝送路により伝送される信号光は、第１励起光が供給された希土類元素添加光ファイバ増幅器により光増幅される。
【０００８】
本発明に係る光伝送システムは、励起光用光ファイバ伝送路の波長１．３９μｍ付近のＯＨ基に因る吸収ピークが０．３３ｄＢ／ｋｍ以下であり、励起光用光ファイバ伝送路が波長１．４８μｍ付近の第１励起光をラマン増幅するのが好適である。この場合には、第１励起光が波長１．３９μｍ付近の波長のものであっても、低損失で励起光用光ファイバ伝送路を伝搬することができる。例えば、希土類元素添加光ファイバ増幅器がＥＤＦＡである場合、第１励起光波長は１．４８μｍであり、第２励起光波長は１．３９μｍであり、この第２励起光が波長１．３９μｍ付近であるが、第２励起光は低損失で励起光用光ファイバ伝送路を伝搬することができる。
【０００９】
本発明に係る光伝送システムは、信号光用光ファイバ伝送路の少なくとも一部が励起光用光ファイバ伝送路と共通であるのが好適である。この場合には、信号光用光ファイバ伝送路と別に励起光用光ファイバ伝送路を設ける必要がないので、この光伝送システムは安価なものとなる。
【００１０】
本発明に係る光伝送システムは、励起光用光ファイバ伝送路中に、ラマン増幅により生じる第１励起光の波長の周辺の光を除去する光フィルタを備えるのが好適である。この場合には、この光伝送システムは高品質の信号光伝送を行うことができる。
【００１１】
【発明の実施の形態】
以下、添付図面を参照して本発明の実施の形態を詳細に説明する。なお、図面の説明において同一の要素には同一の符号を付し、重複する説明を省略する。
【００１２】
図１は、本実施形態に係る光伝送システム１の構成図である。この図に示される光伝送システム１は、光送信器１０、光受信器２０、光ファイバ増幅器３１〜３３、信号光伝送用光ファイバ伝送路４１〜４４、光カプラ５１，５２、励起光源部６１〜６４、および、励起光用光ファイバ伝送路７１，７２を備えている。光送信器１０から光受信器２０へ至る信号光伝送経路上に順に、光カプラ５１、信号光用光ファイバ伝送路４１、光ファイバ増幅器３１、信号光用光ファイバ伝送路４２、光ファイバ増幅器３２、信号光用光ファイバ伝送路４３、光ファイバ増幅器３３、信号光用光ファイバ伝送路４４および光カプラ５２が設けられている。また、光カプラ５１は励起光源部６１と接続され、光カプラ５２は励起光源部６４と接続されている。光ファイバ増幅器３１は、励起光用光ファイバ伝送路７１を介して励起光源部６２と接続されている。光ファイバ増幅器３２は、励起光用光ファイバ伝送路７２を介して励起光源部６３と接続されている。
【００１３】
光送信器１０は信号光λｓを出力する。信号光用光ファイバ伝送路４１〜４４は、光送信器１０より出力された信号光λｓを光受信器２０へ伝送する。そして、光受信器２０は、この信号光λｓを受信する。信号光用光ファイバ伝送路４１〜４４の途中に３つの光ファイバ増幅器３１〜３３が設けられている。光ファイバ増幅器３１〜３３それぞれは、希土類元素が光導波領域に添加された光ファイバを光増幅媒体として用いたものであり、その希土類元素を励起し得る波長の第１励起光λｐ１が供給されることで、所定波長域の信号光λｓを光増幅する。
【００１４】
励起光源部６１〜６４それぞれは、上記の第１励起光λｐ１および第２励起光λｐ２を合波して出力する。第２励起光λｐ２は、第１励起光λｐ１をラマン増幅する為のものである。励起光用光ファイバ伝送路７１は、励起光源部６２より出力された第１励起光λｐ１および第２励起光λｐ２を光ファイバ増幅器３１へ向けて伝送するとともに、その伝送の途中で第２励起光λｐ２により第１励起光λｐ１をラマン増幅する。励起光用光ファイバ伝送路７２は、励起光源部６３より出力された第１励起光λｐ１および第２励起光λｐ２を光ファイバ増幅器３２へ向けて伝送するとともに、その伝送の途中で第２励起光λｐ２により第１励起光λｐ１をラマン増幅する。この系において、励起光源部６１〜６４のうち少なくとも１以上の励起光源部から第１励起光λｐ１および第２励起光λｐ２を出射する。伝送距離などによっては、少なくとも１以上の励起光源部から第１励起光λｐ１のみを出射させる場合もある。
【００１５】
光カプラ５１は、光送信器１０より出力された信号光λｓを信号光用光ファイバ伝送路４１へ出力するとともに、励起光源部６１より出力された第１励起光λｐ１および第２励起光λｐ２をも信号光用光ファイバ伝送路４１へ出力する。光カプラ５２は、信号光用光ファイバ伝送路４４より到達した信号光λｓを光受信器２０へ出力するとともに、励起光源部６４より出力された第１励起光λｐ１および第２励起光λｐ２を信号光用光ファイバ伝送路４４へ出力する。
【００１６】
信号光用光ファイバ伝送路４１は、光カプラ５１より出力された信号光λｓ、第１励起光λｐ１および第２励起光λｐ２を光ファイバ増幅器３１へ向けて伝送するとともに、その伝送の途中で第２励起光λｐ２により第１励起光λｐ１をラマン増幅する。すなわち、この信号光用光ファイバ伝送路４１は、励起光用光ファイバ伝送路としても用いられる。光ファイバ増幅器３１は、信号光用光ファイバ伝送路４１により伝送されてきた信号光λｓおよび第１励起光λｐ１、ならびに、励起光用光ファイバ伝送路７１により伝送されてきた第１励起光λｐ１を入力し、希土類元素添加光ファイバにおいて信号光λｓを光増幅し、この光増幅した信号光λｓを出力する。
【００１７】
信号光用光ファイバ伝送路４２は、光ファイバ増幅器３１より出力された信号光λｓを光ファイバ増幅器３２へ向けて伝送する。光ファイバ増幅器３２は、信号光用光ファイバ伝送路４２により伝送されてきた信号光λｓ、および、励起光用光ファイバ伝送路７２により伝送されてきた第１励起光λｐ１を入力し、希土類元素添加光ファイバにおいて信号光λｓを光増幅し、この光増幅した信号光λｓを出力する。
【００１８】
信号光用光ファイバ伝送路４３は、光ファイバ増幅器３２より出力された信号光λｓを光ファイバ増幅器３３へ向けて伝送する。また、信号光用光ファイバ伝送路４４は、光ファイバ増幅器３３より出力された信号光λｓを光カプラ５２へ向けて伝送し、光カプラ５２より出力された第１励起光λｐ１および第２励起光λｐ２を光ファイバ増幅器３３へ向けて伝送するとともに、その伝送の途中で第２励起光λｐ２により第１励起光λｐ１をラマン増幅する。すなわち、この信号光用光ファイバ伝送路４４は、励起光用光ファイバ伝送路としても用いられる。光ファイバ増幅器３３は、信号光用光ファイバ伝送路４３により伝送されてきた信号光λｓ、および、信号光用光ファイバ伝送路４４により伝送されてきた第１励起光λｐ１を入力し、希土類元素添加光ファイバにおいて信号光λｓを光増幅し、この光増幅した信号光λｓを出力する。
【００１９】
図２は、光ファイバ増幅器３１の構成図である。この図に示される光ファイバ増幅器３１は、光入力端３０１、光出力端３０２および励起光入力端３０３を有し、光入力端３０１から光出力端３０２へ向かって順に光アイソレータ３１０、希土類元素添加光ファイバ３２０および光カプラ３３０を備える。光ファイバ増幅器３１の光入力端３０１は信号光用光ファイバ伝送路４１に接続され、光出力端３０２は信号光用光ファイバ伝送路４２に接続され、励起光入力端３０３は励起光用光ファイバ伝送路７１に接続される。
【００２０】
光アイソレータ３１０は、光入力端３０１から光出力端３０２へ向かう順方向に光を通過させるが、逆方向には光を通過させない。光ファイバ３２０は、希土類元素が光導波領域に添加されたものであり、その希土類元素を励起し得る波長の第１励起光λｐ１が供給されることで、所定波長域の信号光λｓを光増幅することができる。光カプラ３３０は、光ファイバ３２０より出力された信号光λｓを光出力端３０２へ出力し、励起光入力端３０３に入力した第１励起光λｐ１を光ファイバ３２０へ出力する。
【００２１】
この光ファイバ増幅器３１は、光入力端３０１および励起光入力端３０３それぞれに入力した第１励起光λｐ１を光ファイバ３２０に供給し、光入力端３０１に入力した信号光λｓを光ファイバ３２０において光増幅して、この光増幅した信号光λｓを光出力端３０２より出力する。
【００２２】
光ファイバ増幅器３２の構成も、図２に示されたものと同様である。ただし、光ファイバ増幅器３２の光入力端３０１は信号光用光ファイバ伝送路４２に接続され、光出力端３０２は信号光用光ファイバ伝送路４３に接続され、励起光入力端３０３は励起光用光ファイバ伝送路７２に接続される。光ファイバ増幅器３２は、励起光入力端３０３に入力した第１励起光λｐ１を光ファイバ３２０に供給し、光入力端３０１に入力した信号光λｓを光ファイバ３２０において光増幅して、この光増幅した信号光λｓを光出力端３０２より出力する。
【００２３】
光ファイバ増幅器３３の構成は、図２に示されたものから光カプラ３３０を削除した構成である。光ファイバ増幅器３３の光入力端３０１は信号光用光ファイバ伝送路４３に接続され、光出力端３０２は信号光用光ファイバ伝送路４４に接続される。光ファイバ増幅器３３は、光出力端３０２に入力した第１励起光λｐ１を光ファイバ３２０に供給し、光入力端３０１に入力した信号光λｓを光ファイバ３２０において光増幅して、この光増幅した信号光λｓを光出力端３０２より出力する。
【００２４】
図３は、励起光源部６１の構成図である。同図（ａ）に示される励起光源部６１は、第１励起光源６１１、第２励起光源６１２および光合波器６２０を備える。第１励起光源６１１は第１励起光λｐ１を出力する。第２励起光源６１２は第２励起光λｐ２を出力する。光合波器６２０は、第１励起光源６１１より出力された第１励起光λｐ１を入力するとともに、第２励起光源６１２より出力された第２励起光λｐ２を入力して、これら第１励起光λｐ１と第２励起光λｐ２とを合波して出力する。また、同図（ｂ）に示される励起光源部６１は、第１励起光源６１１、第２励起光源６１２、第１光合波器６２１および第２光合波器６２２を備えており、この場合、第１励起光源６１１より出力された第１励起光λｐ１が第１光合波器６２１を経て、また、第２励起光源６１２より出力された第２励起光λｐ２が第２光合波器６２２を経て、これら第１励起光λｐ１と第２励起光λｐ２とが合波されて出力される。励起光源部６２〜６４それぞれの構成も、図３に示されたものと同様である。
【００２５】
本実施形態に係る光伝送システム１は以下のように動作する。励起光源部６１より出力された第１励起光λｐ１および第２励起光λｐ２は、光カプラ５１を経て信号光用光ファイバ伝送路４１により伝送され、その伝送の際に第１励起光λｐ１がラマン増幅され、そのラマン増幅された第１励起光λｐ１が光ファイバ増幅器３１に供給される。励起光源部６２より出力された第１励起光λｐ１および第２励起光λｐ２は、励起光用光ファイバ伝送路７１により伝送され、その伝送の際に第１励起光λｐ１がラマン増幅され、そのラマン増幅された第１励起光λｐ１が光ファイバ増幅器３１に供給される。
【００２６】
励起光源部６３より出力された第１励起光λｐ１および第２励起光λｐ２は、励起光用光ファイバ伝送路７２により伝送され、その伝送の際に第１励起光λｐ１がラマン増幅され、そのラマン増幅された第１励起光λｐ１が光ファイバ増幅器３２に供給される。励起光源部６４より出力された第１励起光λｐ１および第２励起光λｐ２は、光カプラ５２を経て信号光用光ファイバ伝送路４４により伝送され、その伝送の際に第１励起光λｐ１がラマン増幅され、そのラマン増幅された第１励起光λｐ１が光ファイバ増幅器３３に供給される。
【００２７】
光送信器１０より送出された信号光λｓは、光カプラ５１を経て信号光用光ファイバ伝送路４１により伝送され、光ファイバ増幅器３１により光増幅されて出力される。光ファイバ増幅器３１より出力された信号光λｓは、信号光用光ファイバ伝送路４２により伝送され、光ファイバ増幅器３２により光増幅されて出力される。光ファイバ増幅器３２より出力された信号光λｓは、信号光用光ファイバ伝送路４３により伝送され、光ファイバ増幅器３３により光増幅されて出力される。光ファイバ増幅器３３より出力された信号光λｓは、信号光用光ファイバ伝送路４４により伝送され、光カプラ５２を経て光受信器２０により受信される。
【００２８】
このように、本実施形態に係る光伝送システム１では、光ファイバ増幅器３１に供給されるべき第１励起光λｐ１は、励起光源部６１より出力され信号光用光ファイバ伝送路４１により伝送される間にラマン増幅され、励起光源部６２より出力され励起光用光ファイバ伝送路７１により伝送される間にラマン増幅されて、光ファイバ増幅器３１に供給される。光ファイバ増幅器３２に供給されるべき第１励起光λｐ１は、励起光源部６３より出力され励起光用光ファイバ伝送路７３により伝送される間にラマン増幅されて、光ファイバ増幅器３２に供給される。光ファイバ増幅器３３に供給されるべき第１励起光λｐ１は、励起光源部６４より出力され信号光用光ファイバ伝送路４４により伝送される間にラマン増幅されて、光ファイバ増幅器３３に供給される。
【００２９】
したがって、信号光用光ファイバ伝送路４１，４４または励起光用光ファイバ伝送路７１，７２により第１励起光λｐ１が伝送される間に第１励起光λｐ１が第２励起光λｐ２によりラマン増幅されるので、その間の実効的な第１励起光λｐ１の損失が低減され、第１励起光λｐ１の伝送可能な距離が長くなる。それ故、光送信器１０、光受信器２０および励起光源部６１〜６４それぞれの設置位置から、光ファイバ増幅器３１〜３３の設置位置までの距離を、長くすることが可能である。したがって、光ファイバ増幅器３１〜３３それぞれの設置位置の自由度を向上させることができ、高品質の信号光伝送が可能となり、また、信号光伝送の長距離化が可能となる。
【００３０】
次に、本実施形態に係る光伝送システム１について更に詳細に説明する。光ファイバ増幅器３１〜３３それぞれに含まれる光増幅媒体としての光ファイバに添加される希土類元素は、Ｅｒ、Ｔｍ、ＰｒおよびＮｄなどである。例えば、希土類元素としてＥｒが添加された光ファイバ（ＥＤＦ：　Ｅｒｂｉｕｍ　Ｄｏｐｅｄ　Ｆｉｂｅｒ）を光増幅媒体として用いた光ファイバ増幅器（ＥＤＦＡ：　Ｅｒｂｉｕｍ　Ｄｏｐｅｄ　Ｆｉｂｅｒ　Ａｍｐｌｉｆｉｅｒ）は、波長１．４８μｍ帯の第１励起光λｐ１が供給されることで、波長１．５５μｍ帯の信号光λｓを光増幅することができる。
【００３１】
第１励起光λｐ１および第２励起光λｐ２を伝送する光ファイバ伝送路（信号光用光ファイバ伝送路４１，４４、励起光用光ファイバ伝送路７１，７２）は、石英系の光ファイバからなるのが好適である。この場合、これらの光ファイバ伝送路おいて第１励起光λｐ１をラマン増幅する為の第２励起光λｐ２は、第１励起光λｐ１より１３．２ＴＨｚ程度だけ小さい光周波数であり、第１励起光λｐ１より１００ｎｍ程度だけ短い波長である。例えば、第１励起光λｐ１が波長１．４８μｍ帯であれば、第２励起光λｐ２は波長１．３９μｍ帯である。
【００３２】
また、一般に石英系光ファイバは波長１．３９μｍ付近においてＯＨ基に因る損失ピークが０．４０ｄＢ／ｋｍ程度あるが、本実施形態において第１励起光λｐ１および第２励起光λｐ２を伝送する光ファイバ伝送路は、波長１．３９μｍ付近においてＯＨ基に因る損失ピークが０．３３ｄＢ／ｋｍ以下であるのが好適である。この損失ピークが小さいことにより、波長１．３９μｍ付近の第２励起光λｐ２は低損失で伝搬するので、第１励起光λｐ１をラマン増幅する際の利得が優れたものとなる。
【００３３】
第２励起光λｐ２の入力パワーをＰｐとし、ラマン増幅用の光ファイバ伝送路の長さをＬとし、信号光波長での光ファイバの伝送損失をαｓとし、第２励起光λｐ２の波長での光ファイバ伝送路の伝送損失をαｐとし、光ファイバ伝送路のラマン利得係数をｇＲとし、光ファイバ伝送路の実効断面積をＡｅｆｆとすると、この光ファイバ伝送路におけるラマン増幅により得られるオンオフ利得Ｇｏｎ−ｏｆｆおよび正味の利得Ｇｎｅｔそれぞれは、
Ｇｏｎ−ｏｆｆ＝ｅｘｐ（ＬｅｆｆＰｐｇＲ／Ａｅｆｆ）　　　　　　　　　　…（１ａ）
Ｇｎｅｔ　＝ｅｘｐ（ＬｅｆｆＰｐｇＲ／Ａｅｆｆ−αｓＬ）　　…（１ｂ）
ただし、
Ｌｅｆｆ　＝（１−ｅｘｐ（−αｐＬ））／αｐ　　　　…（１ｃ）
なる式で表される。Ｌｅｆｆは光ファイバの実効長を表す。
【００３４】
この式から、損失αｐを小さくすることで、利得を大きくすることができる。波長１．３９μｍ付近の波長の第２励起光λｐ２を用いる場合、ＯＨ基に因る損失ピークを低減することが効果的である。波長１．３９μｍ付近におけるＯＨ基に因る損失ピークを通常の０．４０ｄＢ／ｋｍから０．３３ｄＢ／ｋｍ以下まで低減することにより、光ファイバ伝送路の実効長Ｌｅｆｆを２．５０ｋｍから３．０３ｋｍまで長くすることができるので、励起効率が２割程度向上する。
【００３５】
図４は、光ファイバ伝送路の損失特性および光パワースペクトルを説明する図である。同図（ａ）は、光ファイバ伝送路により伝送された後の光のパワースペクトルを示し、同図（ｂ）は、光ファイバ伝送路の損失特性を示す。同図（ａ）および（ｂ）それぞれで、破線は、光ファイバ伝送路の波長１．３９μｍ付近におけるＯＨ基に因る損失ピークが０．４０ｄＢ／ｋｍである場合を示し、実線は、光ファイバ伝送路の波長１．３９μｍ付近におけるＯＨ基に因る損失ピークが０．３３ｄＢ／ｋｍである場合を示す。第１励起光λｐ１の波長は１．４８μｍであり、第２励起光λｐ２の波長は１．３９μｍである。
【００３６】
この図から判るように、波長１．３９μｍ付近におけるＯＨ基に因る損失ピークが０．３３ｄＢ／ｋｍである場合（実線）の方が、光ファイバ伝送路により伝送された後の第２励起光λｐ２のパワーは大きい。また、波長１．５８μｍを中心とする波長域にラマン増幅に因る誘導散乱光が発生するが、この誘導散乱光の波長域は信号光λｓの波長域と重なる。もし、この誘導散乱光が光ファイバ増幅器に入力すると、異常発振現象が生じて、信号光のＳＮ比劣化の要因となる。
【００３７】
そこで、第１励起光λｐ１および第２励起光λｐ２を伝送する光ファイバ伝送路（信号光用光ファイバ伝送路４１，４４、励起光用光ファイバ伝送路７１，７２）に光フィルタを設けて、この光フィルタにより誘導散乱光を除去するのが好適である。この光フィルタは、第１励起光λｐ１の波長の周辺の光を除去するものであり、好ましくは、第１励起光λｐ１の波長の短波長側および長波長側の双方の全ての誘導散乱光を除去するのが好適であり、このようにすることにより、第１励起光λｐ１のラマン増幅の利得が向上する。この光フィルタは、例えば、光ファイバ伝送路に形成された長周期グレーティングであるのが好適であり、また、誘電体多層膜からなる光フィルタであるのも好適である。このような誘導散乱光除去用の光フィルタを設けることにより、光伝送システム１は高品質の光伝送を行うことができる。なお、光フィルタ設置位置の後段でも誘導散乱光が発生するが、この誘導散乱光は光カプラ５１，５２その他のＷＤＭ光カプラにより除去される。
【００３８】
【発明の効果】
以上、詳細に説明したとおり、本発明によれば、励起光源部より出力された第１励起光および第２励起光は、励起光用光ファイバ伝送路により伝送され、その際に第２励起光により第１励起光がラマン増幅されて、そのラマン増幅された第１励起光が希土類元素添加光ファイバ増幅器に供給される。信号光用光ファイバ伝送路により伝送される信号光は、第１励起光が供給された希土類元素添加光ファイバ増幅器により光増幅される。
【００３９】
したがって、励起光用光ファイバ伝送路により第１励起光が伝送される間に第１励起光がラマン増幅されるので、その間の実効的な第１励起光の損失が低減され、第１励起光の伝送可能な距離が長くなる。それ故、光送信器，光受信器および励起光源部などの設置位置から、希土類元素添加光ファイバ増幅器の設置位置までの距離を、長くすることが可能である。したがって、希土類元素添加光ファイバ増幅器の設置位置の自由度を向上させることができ、高品質の信号光伝送が可能となり、また、信号光伝送の長距離化が可能となる。
【図面の簡単な説明】
【図１】本実施形態に係る光伝送システム１の構成図である。
【図２】光ファイバ増幅器３１の構成図である。
【図３】励起光源部６１の構成図である。
【図４】光ファイバ伝送路の損失特性および光パワーのスペクトルを説明する図である。
【符号の説明】
１…光伝送システム、１０…光送信器、２０…光受信器、３１〜３３…光ファイバ増幅器、４１〜４４…信号光用光ファイバ伝送路、５１，５２…光カプラ、６１〜６４…励起光源部、７１，７２…励起光用光ファイバ伝送路。
【図１】
2004087819.tif 000003
【図２】
2004087819.tif 000004
【図３】
2004087819.tif 000005
【図４】
2004087819.tif 000006